(57)【要約】【課題】  歩き易くて疲れ難く、履いて歩行したり運動することによって、使用者が快適な状態で効果的にエネルギを消費することができて、例えばメタボリック症候群等の生活習慣病の予防や改善を図ることができる錘付き履物を提供すること。【解決手段】  履物底１６を有し、この履物底１６の上部に甲被１７が形成され、この甲被１７の外表面に錘１３を出し入れ自在に保持することができる外側及び内側保持部１４が設けられている履物１２と、外側及び内側保持部１４に出し入れ自在に保持される錘１３とを備え、保持部１４は、内部に錘１３を収容可能な袋状に形成され、上部に錘１３を出し入れするための開口部２２が形成されている。【選択図】      図１
0003148314.tif 000002
【実用新案登録請求の範囲】
【請求項１】
履物底を有し、この履物底の上部に甲被が形成され、この甲被の外表面に錘を出し入れ自在に保持することができる保持部が設けられている履物と、
前記保持部に出し入れ自在に保持される錘とを備えることを特徴とする錘付き履物。
【請求項２】
前記保持部は、内部に前記錘を収容可能な袋状に形成され、上部に前記錘を出し入れするための開口部が形成されていることを特徴とする請求項１記載の錘付き履物。
【請求項３】
前記甲被は、甲被前足部、甲被中足部、及び甲被踵部を有し、
前記保持部が、前記甲被中足部を形成する内側壁部、外側壁部、又はそれら両方の各側壁部の外表面に設けられていることを特徴とする請求項１又は２記載の錘付き履物。
【請求項４】
前記甲被は、甲被前足部、甲被中足部、及び甲被踵部を有し、
前記保持部が、前記甲被踵部を形成する側壁部の外表面に設けられていることを特徴とする請求項１又は２記載の錘付き履物。
【請求項５】
前記甲被は、甲被前足部、甲被中足部、甲被踵部、及び履き口部を有し、
前記保持部が、前記履き口部を形成する側壁部の外表面に設けられていることを特徴とする請求項１又は２記載の錘付き履物。
【請求項６】
前記保持部の開口部は、ファスナー、当該履物に設けられている紐、マグネット、又はボタンによって開閉可能に閉じられていることを特徴とする請求項１乃至５のいずれかに記載の錘付き履物。
【請求項７】
前記保持部の開口部は、蓋部によって開閉自在に閉じられていることを特徴とする請求項１乃至６のいずれかに記載の錘付き履物。
【請求項８】
前記保持部は、前記錘を２つ以上収容できるものであることを特徴とする請求項１乃至７のいずれかに記載の錘付き履物。
【請求項９】
前記錘は、合成樹脂製のもの、又は金属を合成樹脂で被覆したものであることを特徴とする請求項１乃至８のいずれかに記載の錘付き履物。
【請求項１０】
前記履物は、靴であることを特徴とする請求項１乃至９のいずれかに記載の錘付き履物。
【考案の詳細な説明】
【技術分野】
【０００１】
本考案は、歩き易くて疲れ難く、履いて歩行したり運動することによって、快適な状態で効果的に使用者がエネルギを消費することができる錘付き履物に関する。
【背景技術】
【０００２】
従来の錘付き履物の一例として、中底と本底との間に平板状の錘を装着したものがある（例えば、特許文献１参照。）。この錘付き履物を履いて歩行や運動を行なうと、足首やふくらはぎの筋肉、及び太腿の筋肉を鍛錬して強化することができる。
【０００３】
このように、足首やふくらはぎの筋肉、及び太腿の筋肉を鍛錬して強化することができるのは、錘を中底と本底との間に設けてあり、履物を履いたときに、錘が使用者の足首の関節から離れた位置に配置された状態となるからである。
【０００４】
つまり、錘を足首の関節から離れた位置に設けると、使用者が歩行等の際に、前足部及び中足部を、足首の関節を中心にして伸ばす方向及び曲げる方向に揺動するように動かすときに、その錘の大きな慣性モーメントによって、大きな負荷トルクが足首やふくらはぎの筋肉、及び太腿の筋肉に掛かり、これによってそれらの筋肉を鍛錬して強化することができる。
【特許文献１】特開２００２−９５７２０号公報
【考案の開示】
【考案が解決しようとする課題】
【０００５】
しかし、上記従来の錘付き履物では、足首やふくらはぎの筋肉等を鍛錬して強化するのには適しているかも知れないが、例えば体脂肪を燃焼させて、メタボリック症候群等の生活習慣病の予防や改善を目的として使用する場合は、効果的に体脂肪を燃焼させることができないことがある。
【０００６】
なぜなら、錘を足首の関節から離れた位置に設けると、歩行の際に、前足部及び中足部を、足首の関節を中心にして伸ばす方向及び曲げる方向に揺動するように動かすときに、錘の大きな慣性モーメントによって、大きな負荷トルクが特に足首やふくらはぎの筋肉に掛かるので、歩き難いし疲れ易く、従って、使用者は、この従来の錘付き履物を継続して履いて歩行したり運動することが困難となる。よって、使用者が効果的に体脂肪を燃焼させて、生活習慣病の予防や改善を図ることができないことがある。
【０００７】
また、上記従来の錘付き履物では、錘を中底と本底との間に装着してあるので、例えば錘を取り外した状態で、この履物を履いて歩行等するときや、重量の重い又は軽い錘に付け替えて、この履物を履いて歩行等するときは、中底と本底とを互いに切り離したり結合させる必要があり、手間が掛かる。
【０００８】
本考案は、上記のような課題を解決するためになされたものであり、歩き易くて疲れ難く、履いて歩行したり運動することによって、使用者が快適な状態で効果的にエネルギを消費することができて、例えばメタボリック症候群等の生活習慣病の予防や改善を図ることができる錘付き履物を提供することを目的としている。
【課題を解決するための手段】
【０００９】
本考案に係る錘付き履物は、履物底を有し、この履物底の上部に甲被が形成され、この甲被の外表面に錘を出し入れ自在に保持することができる保持部が設けられている履物と、前記保持部に出し入れ自在に保持される錘とを備えることを特徴とするものである。
【００１０】
本考案に係る錘付き履物を履いて歩行や運動を行なうと、錘が取り付けられていない履物と比較して、この錘の重量分だけ使用者のエネルギを余分に消費して、体脂肪を燃焼させることができる。そして、錘を履物の甲被の外表面に取り付けることができる構成としたので、使用者がこの錘付き履物を履いたときに、錘が使用者の足首の関節に接近又は一致する状態となり、この錘付き履物を履いて歩行や運動を行なうときに、足首やふくらはぎの筋肉に大きな負担が掛かることを抑制することができる。
【００１１】
なぜなら、錘が足首の関節と接近又は一致する状態となると、使用者が歩行等の際に、前足部及び中足部を、足首の関節を中心にして伸ばす方向及び曲げる方向に揺動するように動かすときに、その錘の慣性モーメントが小さいので、小さい負荷トルクしか足首やふくらはぎの筋肉に掛からず、これによってそれらの筋肉に大きな負担が掛からないようにすることができるからである。
【００１２】
ただし、歩行や運動を行なうときに、錘によって生じる負担は、太腿や腹筋等の身体全体の筋肉に掛かるので、歩き易くて疲れ難く、快適な状態で効果的に使用者の体脂肪を燃焼させることができる。
【００１３】
そして、使用者は、例えば自分の生活のスケジュール、体調、体力に応じて、いつでも錘を履物の保持部に対して、取り付けたり取り外すことができるので、無理をせずに継続してこの錘付き履物を使用することができる。
【００１４】
この考案に係る錘付き履物において、前記保持部は、内部に前記錘を収容可能な袋状に形成され、上部に前記錘を出し入れするための開口部が形成されているものとすることができる。
【００１５】
このように、保持部を、上部に開口部を有する袋状とすることによって、この開口部から錘を簡単に出し入れすることができて便利である。そして、保持部を袋状とすることによって、歩行や運動中に、錘が保持部から脱落し難くすることができる。また、保持部を遮光性とすることによって、錘が外部から見えないようにすることができ、履物の見栄えを良くすることができる。
【００１６】
この考案に係る錘付き履物において、前記甲被は、甲被前足部、甲被中足部、及び甲被踵部を有し、前記保持部が、前記甲被中足部を形成する内側壁部、外側壁部、又はそれら両方の各側壁部の外表面に設けられているものとすることができる。
【００１７】
このように、甲被中足部の内側壁部、又は外側壁部に保持部を設けると、使用者がこの錘付き履物を履いたときに、錘が使用者の足首の関節に極めて接近する状態となり、この錘付き履物を履いて歩行や運動を行なうときに、足首やふくらはぎの筋肉に大きな負担が掛かることを効果的に抑制することができる。よって、歩き易くて疲れ難いという体感が得られる。そして、保持部を、甲被中足部の内側壁部、又は外側壁部に設けることによって、錘の重量を側壁部で支持することができ、錘の重量が使用者の足の甲の上に掛からないようにすることができる。よって、錘の重量による不快感が生じない。また、錘の合計重量を小さくする場合は、保持部を、甲被中足部の内側壁部、又は外側壁部のうちのいずれかに設けるとよいし、錘の合計重量を大きくする場合は、保持部を、甲被中足部の内側壁部、及び外側壁部の両方に設けるとよい。
【００１８】
この考案に係る錘付き履物において、前記甲被は、甲被前足部、甲被中足部、及び甲被踵部を有し、前記保持部が、前記甲被踵部を形成する側壁部の外表面に設けられているものとすることができる。
【００１９】
このように、保持部を、甲被踵部を形成する側壁部の外表面に設けることによっても、甲被中足部を形成する内側壁部、又は外側壁部に設けた場合と略同様に作用するので、その説明を省略する。
【００２０】
この考案に係る錘付き履物において、前記甲被は、甲被前足部、甲被中足部、甲被踵部、及び履き口部を有し、前記保持部が、前記履き口部を形成する側壁部の外表面に設けられているものとすることができる。
【００２１】
このように、保持部が設けられている履き口部は、使用者がこの錘付き履物を履いたときに、錘が使用者の足首の関節に極めて接近、又は一致する状態となり、この錘付き履物を履いて歩行や運動を行なうときに、歩き易くて疲れ難いという体感が得られる。
【００２２】
この考案に係る錘付き履物において、前記保持部の開口部は、ファスナー、当該履物に設けられている紐、マグネット、又はボタンによって開閉可能に閉じられているものとすることができる。
【００２３】
このように、保持部の開口部を、ファスナー、履物に設けられている紐、マグネット、又はボタンによって開閉可能に閉じることができるようにすると、歩行中や運動中に、錘が保持部から脱落することを防止できるし、開口部を簡単に開閉して錘を保持部に対して出し入れすることができる。
【００２４】
この考案に係る錘付き履物において、前記保持部の開口部が、蓋部によって開閉自在に閉じられているものとすることができる。
【００２５】
このように、保持部の開口部を蓋部で閉じるようにすると、開口部を極めて簡単に開閉することができる。
【００２６】
この考案に係る錘付き履物において、前記保持部が、前記錘を２つ以上収容できるものとすることができる。
【００２７】
このように、保持部が錘を２つ以上収容できるようにすると、使用者の生活のスケジュール、体調、体力に応じて、保持部に取り付ける錘の数を変更したり、錘を全て取り外すことができる。よって、無理をせずに継続してこの錘付き履物を使用することができる。
【００２８】
この考案に係る錘付き履物において、前記錘が、合成樹脂製のもの、又は金属を合成樹脂で被覆したものとすることができる。
【００２９】
このように、錘を合成樹脂製のもの、又は金属を合成樹脂で被覆したものとすることによって、使用者が金属アレルギーを起こすことを防止又は抑制することができる。
【００３０】
この考案に係る錘付き履物において、前記履物が靴であるものとすることができる。
【００３１】
履物として靴を採用すると、靴は、歩行や運動するのに適しており、使用者が快適な状態で効果的にエネルギを消費することができ、例えばメタボリック症候群等の生活習慣病の予防や改善を図ることができる。
【考案の効果】
【００３２】
この考案に係る錘付き履物によると、錘を履物の甲被の外表面に取り付けることができる構成としたので、歩き易くて疲れ難く、履いて歩行したり運動することによって、使用者が効果的にエネルギを消費することができ、例えばメタボリック症候群等の生活習慣病の予防や改善を図ることができる。
【考案を実施するための最良の形態】
【００３３】
以下、本考案に係る錘付き履物の第１実施形態を、図１及び図２を参照して説明する。この図１の正面図及び図２の平面図に示す錘付き履物１１は、紳士用短靴に適用したものである。
【００３４】
この錘付き履物１１は、図１及び図２に示す履物１２と錘１３とを備えている。これら図１及び図２には、例えば左足用の錘付き履物１１を示している。これら左右それぞれの錘付き履物１１には、外側保持部１４と内側保持部１５とが設けられ、各保持部１４、１５には、例えば錘１３が１つずつ出し入れ自在に装着されるようになっている。
【００３５】
ただし、図１及び図２に示す左足用の錘付き履物１１は、図示しない右足用の錘付き履物と同等の構成であり同様に作用するので、左足用の錘付き履物１１を説明し、右足用の錘付き履物の説明を省略する。
【００３６】
この履物１２は、図１及び図２に示すように、履物底１６を有し、この履物底１６の上部に甲被１７が形成されている。甲被１７は、甲被前足部１８、甲被中足部１９、及び甲被踵部２０を有している。そして、甲被中足部１９の外側壁部１９ａの外表面には、外側保持部１４が設けられ、甲被中足部１９の内側壁部１９ｂの外表面には、内側保持部１５が設けられている。
【００３７】
この外側保持部１４は、図１に示すように、略矩形のシート状の保持部材２１を有し、この保持部材２１が甲被中足部１９の外側壁部１９ａの外表面に例えば縫付け等によって結合している。この外側保持部１４は、保持部材２１の底部２１ａ、及びこの底部２１ａと隣合う２つの側部２１ｂ、２１ｂを外側壁部１９ａの外表面に結合させることによって、内部に略矩形の平板状の錘１３を収容可能な袋状に形成されている。そして、上部に錘１３を出し入れするための開口部２２が形成されている。
【００３８】
内側保持部１５は、図２に示すように、外側保持部１４と同様に形成されているので、同等部分を同一の図面符号で示し、その説明を省略する。
【００３９】
錘１３は、図１に示すように、略矩形の平板状に形成され、例えば合成ゴム等の合成樹脂製である。このように形成された錘１３は、図２に示すそれぞれの外側保持部１４及び内側保持部１５に対して、上側開口部２２から出し入れ自在に１つずつ装着されている。
【００４０】
上記のように構成された錘付き履物１１によると、図１及び図２に示す外側及び内側の各保持部１４、１５に錘１３を装着して、この錘付き履物１１を履いて歩行や運動を行なうと、錘１３が取り付けられていない履物と比較して、この錘１３の重量分だけ使用者のエネルギを余分に消費して、体脂肪を燃焼させることができる。そして、錘１３を履物１２の甲被１７の外表面に取り付けることができる構成としたので、使用者がこの錘付き履物１１を履いたときに、錘１３が使用者の足首の関節に接近する状態となり、この錘付き履物１１を履いて歩行や運動を行なうときに、足首やふくらはぎの筋肉に大きな負担が掛かることを抑制することができる。
【００４１】
なぜなら、錘１３が足首の関節と接近する状態となると、使用者が歩行等の際に、前足部及び中足部を、足首の関節を中心にして伸ばす方向及び曲げる方向に揺動するように動かすときに、その錘１３の慣性モーメントが小さいので、小さい負荷トルクしか足首やふくらはぎの筋肉に掛からず、これによってそれらの筋肉に大きな負担が掛からないようにすることができるからである。
【００４２】
ただし、歩行や運動を行なうときに、錘１３によって生じる負担は、太腿や腹筋等の身体全体の筋肉に掛かることとなるので、歩き易くて疲れ難く、使用者が快適な状態で効果的にエネルギを消費することができて、体脂肪を燃焼させることができる。これによって、例えばメタボリック症候群等の生活習慣病の予防や改善を図ることができる。
【００４３】
そして、使用者は、例えば自分の生活のスケジュール、体調、体力に応じて、いつでも錘１３を履物１２の保持部１４、１５の両方又は一方に装着したり、錘１３を保持部１４、１５から取り外すことができるので、無理をせずに継続してこの錘付き履物１１を使用することができる。
【００４４】
また、重量が相違する複数の錘１３を用意しておくことによって、使用者の意思によって所望の重量の錘１３を、外側及び内側保持部１４、１５に装着できるようにすることができる。これによって、自己の体力に応じて、この錘付き履物１１を使用することができる。
【００４５】
また、図１及び図２に示すように、外側及び内側の各保持部１４、１５を、上部に開口部２２を有する袋状とすることによって、それぞれの開口部２２から錘１３を簡単に出し入れすることができて便利である。そして、保持部１４、１５を袋状とすることによって、歩行や運動中に、錘１３が保持部１４、１５から脱落し難くすることができる。また、保持部１４、１５を遮光性とすることによって、錘１３が外部から見えないようにすることができ、履物１２の見栄えを良くすることができる。
【００４６】
更に、図１及び図２に示すように、甲被中足部１９の外側壁部１９ａ、及び内側壁部１９ｂに保持部１４、１５を設けると、使用者がこの錘付き履物１１を履いたときに、各保持部１４、１５に装着されている錘１３が使用者の足首の関節に極めて接近する状態となり、この錘付き履物１１を履いて歩行や運動を行なうときに、足首やふくらはぎの筋肉に大きな負担が掛かることを効果的に抑制することができる。よって、歩き易くて疲れ難いという体感が十分に得られる。
【００４７】
また、保持部１４、１５を、甲被中足部１９の外側壁部１９ａ、及び内側壁部１９ｂに設けることによって、錘１３の重量をこれらの各側壁部１９ａ、１９ｂで支持することができ、錘１３の重量が使用者の足の甲の上に掛からないようにすることができる。よって、錘１３の重量による不快感が生じない。
【００４８】
更に、図１に示す錘１３は、合成ゴム等の合成樹脂製のものであるので、使用者が金属アレルギーを起こすことを防止又は抑制することができる。
【００４９】
そして、図１に示すように、履物１２として靴を採用すると、靴は、歩行や運動するのに適しており、使用者が快適な状態で効果的にエネルギを消費することができる。
【００５０】
次に、本考案に係る錘付き履物の第２実施形態を、図３及び図４を参照して説明する。この図３及び図４に示す第２実施形態と、図１及び図２に示す第１実施形態とが相違するところは、図１及び図２に示す第１実施形態では、錘付き履物１１を、紳士用短靴に適用したのに対して、図３及び図４に示す第２実施形態では、錘付き履物２４を、運動靴に適用したところと、図１及び図２に示す第１実施形態では、外側保持部１４及び内側保持部１５の２つの保持部を備えているのに対して、図３及び図４に示す第２実施形態では、１つの外側保持部２５を備え、内側保持部を備えていないところである。
【００５１】
そして、図１及び図２に示す第１実施形態では、外側保持部１４及び内側保持部１５のそれぞれの開口部２２が開放している形状であるのに対して、図３及び図４に示す第２実施形態では、外側保持部１４の開口部２２は、ファスナー２６によって開閉可能に閉じられているところと、図１及び図２に示す第１実施形態では、錘１３が小さく、外側及び内側保持部１４、１５の収容量が小さいのに対して、図３及び図４に示す第２実施形態では、錘２７が大きく、外側保持部２５の収容量が、第１実施形態のものよりも大きいところも相違している。
【００５２】
また、図１及び図２に示す第１実施形態では、錘１３を合成ゴム等の合成樹脂製としたのに対して、図３及び図４に示す第２実施形態では、錘２７を、鉛、鉄等の金属を合成ゴム等の合成樹脂で被覆したものとしているところも相違している。
【００５３】
これ以外は、第１実施形態と同等の構成であり、同様に作用するので、同等部分を同一の図面符号で示し、それらの説明を省略する。
【００５４】
この図３及び図４に示す第２実施形態の錘付き履物２４によると、運動靴は、歩行や運動を目的として作られたものであるので、歩行や運動がし易く、使用者が極めて快適な状態で効果的にエネルギを消費することができて、体脂肪を燃焼させることができる。
【００５５】
そして、図３及び図４に示すように、この実施形態の錘付き履物２４では、１つの外側保持部２５しか設けられていないが、この外側保持部２５の収容量を大きくしてあり、重量や嵩の大きい錘２７を装着することができる。これによって、使用者が消費するエネルギ量を大きくすることができる。
【００５６】
更に、図４に示すように、錘２７は、金属を合成ゴム等の合成樹脂で被覆しているものであるので、嵩を比較的小さくして重量を大きくすることができる。これによって、外側保持部２５に装着された錘２７による出っ張りを小さくすることができ、錘２７が運動等の邪魔にならないようにすることができるし、この履物２８の見栄えを良くすることができる。
【００５７】
そして、図３に示すように、外側保持部２５の開口部２２を、ファスナー２６によって開閉可能に閉じることができるようにしてあるので、歩行中や運動中に、錘２７が外側保持部２５から抜け出ることを防止できるし、開口部２２を簡単に開放して錘２７を保持部２５に対して出し入れすることができる。
【００５８】
次に、本考案に係る錘付き履物の第３実施形態を、図５及び図６を参照して説明する。この図５及び図６に示す第３実施形態と、図３及び図４に示す第２実施形態とが相違するところは、図３及び図４に示す第２実施形態の錘付き履物２４（履物２８）では、１つの外側保持部２５しか備えていないのに対して、図５及び図６に示す第３実施形態の錘付き履物３２（履物３４）では、外側保持部２５、及び内側保持部３０を備えているところと、図３及び図４に示す第２実施形態では、錘２７が、鉛、鉄等の金属を合成ゴム等の合成樹脂で被覆して形成したのに対して、図５及び図６に示す第３実施形態では、錘３１が、鉛、鉄等の金属の粉粒状体を合成ゴム等の合成樹脂に混ぜ込んで形成したところである。
【００５９】
そして、図３及び図４に示す第２実施形態では、外側保持部２５の開口部２２は、ファスナー２６によって開閉可能に閉じることができるようにしたのに対して、図５及び図６に示す第３実施形態では、外側及び内側保持部２５、３０のそれぞれの開口部２２、２２は、この錘付き履物３２に取り付けられている靴紐３３によって、開閉可能に閉じることができるようにしたところと、図３及び図４に示す第２実施形態では、外側保持部２５に１つの錘２７を装着するようにしたのに対して、図５及び図６に示す第３実施形態では、外側及び内側保持部２５、３０のそれぞれに錘３１を２つずつ装着するようにしたところも相違している。
【００６０】
これ以外は、第２実施形態と同等の構成であり、同様に作用するので、同等部分を同一の図面符号で示し、それらの説明を省略する。
【００６１】
この図５及び図６に示す第３実施形態の錘付き履物３２によると、外側保持部２５、及び内側保持部３０を設けてあり、そして各保持部２５、３０には、錘３１を２つずつ装着できるようになっている。これによって、この錘付き履物３２に装着できる錘３１の合計重量を大きくすることができる。従って、使用者が消費するエネルギ量を、第２実施形態のものよりも大きくすることができる。
【００６２】
そして、外側及び内側保持部２５、３０が錘３１を２つ以上収容できるようにすると、使用者の生活のスケジュール、体調、体力に応じて、各保持部２５、３０に装着する錘３１の数を変更したり、錘３１を全て取り外すことができる。よって、無理をせずに継続してこの錘付き履物３２を使用することができる。
【００６３】
また、外側及び内側のそれぞれの保持部２５、３０に装着する錘３１の数を変更することによって、使用者が消費するエネルギ量を自由に調節することができる。
【００６４】
そして、錘３１は、鉛、鉄等の金属の粉粒状体を合成ゴム等の合成樹脂に混ぜ込んだものとしたので、歩行や運動しているときに錘３１に働く力を、錘３１が履物３２の甲被１７に接している表面全体に略均等に分散させることができる。これによって、使用者の足に局部的に力が加わることを防止できる。
【００６５】
そして、図５及び図６に示すように、外側及び内側保持部２５、３０のそれぞれの開口部２２、２２を、靴紐３３によって開閉可能に閉じることができるようにしてあるので、運動靴の屈曲性を阻害しないようにすることができる。
【００６６】
次に、本考案に係る錘付き履物の第４実施形態を、図７及び図８を参照して説明する。この図７及び図８に示す第４実施形態の錘付き履物３８（履物３６）と、図３及び図４に示す第２実施形態の錘付き履物２４（履物２８）とが相違するところは、外側保持部２５の開口部２２は、図３及び図４に示す第２実施形態では、ファスナー２６によって開閉可能に閉じることができるようにしたのに対して、図７及び図８に示す第４実施形態では、マグネット３７、３７によって開閉可能に閉じることができるようにしたところである。
【００６７】
これ以外は、第２実施形態と同等の構成であり、同様に作用するので、同等部分を同一の図面符号で示し、それらの説明を省略する。
【００６８】
この図７及び図８に示す第４実施形態の錘付き履物３８に設けられている外側保持部２５は、その開口部２２が蓋部３９によって覆われており、この蓋部３９によって、開口部２２を開閉自在に閉じることができる。そして、この蓋部３９の内面には、例えばＮ極のマグネット３７が取り付けられ、この外側保持部２５を形成する保持部材２１の上縁部外面にＳ極のマグネット３７が取り付けられている。この一対のマグネット３７、３７によって、蓋部３９を閉じた状態に留めておくことができる。
【００６９】
このように、マグネット３７、３７によって蓋部３９を留めることができる構成とすることによって、蓋部３９の開閉を、手間を掛けずに簡単で速やかに行うことができる。
【００７０】
ただし、例えば図３及び図４に示す第２実施形態では、外側保持部２５の開口部２２をファスナー２６によって開閉可能に閉じるようにしたが、これに代えて、外側保持部２５の開口部２２を、ボタン、ホック、面ファスナー等の他の係合手段によって開閉可能に閉じるようにすることができる。
【００７１】
そして、図７及び図８に示す第４実施形態では、蓋部３９等にマグネット３７、３７を取付け、このマグネット３７、３７によって蓋部３９を閉じた状態に留めることができるようにしたが、このマグネット３７、３７を省略してもよい。このように、外側保持部２５の開口部２２を蓋部３９で閉じるようにすると、開口部２２を極めて簡単に開閉することができる。
【００７２】
また、上記各実施形態では、例えば図１に示すように、外側及び内側保持部１４、１５を、甲被中足部１９の外側壁部１９ａ及び内側壁部１９ｂの各外表面に設けたが、これに代えて、保持部１４を、例えば図２に示す甲被踵部２０を形成する外側壁部２０ａ、内側壁部２０ｂ、又は後側壁部２０ｃの外表面に設けてもよい。更に、保持部１４を、甲被前足部１８を形成する外側壁部１８ａ又は内側壁部１８ｂに設けてもよい。
【００７３】
更に、上記各実施形態では、本考案を例えば図１に示すように、足首の関節を覆うことができる履き口部を有していない履物１２に適用したが、これに代えて、そのような履き口部を有する履物に、本考案を適用することができる。その場合は、その履き口部を形成する側壁部の外表面に保持部を設けることができる。この保持部は、上記各実施形態のものと同等のものである。
【００７４】
このように、保持部が設けられている履き口部は、使用者がこの錘付き履物を履いたときに、保持部に取り付けられている錘が使用者の足首の関節に極めて接近、又は一致する状態となり、この錘付き履物を履いて歩行や運動を行なうときに、歩き易くて疲れ難いという体感が得られる。
【００７５】
そして、上記各実施形態では、本考案に係る錘付き履物等を紳士靴、運動靴に適用した例を示したが、これ以外の例えば婦人靴、ブーツ、サンダル等の履物に適用することができる。
【産業上の利用可能性】
【００７６】
以上のように、本考案に係る錘付き履物は、歩き易くて疲れ難く、履いて歩行したり運動することによって、使用者が快適な状態で効果的にエネルギを消費することができて、例えばメタボリック症候群等の生活習慣病の予防や改善を図ることができる優れた効果を有し、このような錘付き履物に適用するのに適している。
【図面の簡単な説明】
【００７７】
【図１】この考案の第１実施形態に係る錘付き履物を示す正面図である。
【図２】同第１実施形態に係る錘付き履物を示す平面図である。
【図３】同考案の第２実施形態に係る錘付き履物を示す正面図である。
【図４】同第２実施形態に係る錘付き履物を示すＡ−Ａ断面図である。
【図５】同考案の第３実施形態に係る錘付き履物を示す正面図である。
【図６】同第３実施形態に係る錘付き履物を示すＢ−Ｂ断面図である。
【図７】同考案の第４実施形態に係る錘付き履物を示す正面図である。
【図８】同第４実施形態に係る錘付き履物を示すＣ−Ｃ断面図である。
【符号の説明】
【００７８】
１１、２４、３２、３８  錘付き履物
１２、２８、３４，３６  履物
１３、２７、３１  錘
１４、２５  外側保持部
１５、３０  内側保持部
１６  履物底
１７  甲被
１８  甲被前足部
１８ａ  外壁部
１８ｂ  内壁部
１９  甲被中足部
１９ａ  外壁部
１９ｂ  内壁部
２０  甲被踵部
２０ａ  外壁部
２０ｂ  内壁部
２０ｃ  後壁部
２１  保持部材
２１ａ  底部
２１ｂ  側部
２２  開口部
２６  ファスナー
３３  靴紐
３７  マグネット
３９  蓋部
【図１】
0003148314.tif 000003
【図２】
0003148314.tif 000004
【図３】
0003148314.tif 000005
【図４】
0003148314.tif 000006
【図５】
0003148314.tif 000007
【図６】
0003148314.tif 000008
【図７】
0003148314.tif 000009
【図８】
0003148314.tif 000010